(57)【要約】【課題】  臭気の拡散を防止するとともに、寝具内部で空気の淀みがなく、患者と介護者の双方にとって快適になる介護用マットを提供する。【解決手段】  マット本体１の内部に、上側面に多数の吸排気口３を有し、先端部が封止された通気パイプ２を複数本配設し、該複数本の通気パイプ２を二つのグループに分け、一方のグループ、例えば、内側の２本の通気パイプ２と、他方のグループである外側２本の通気パイプ２の基端部に、それぞれ、脱臭装置５を介して、吸排ブロアー６の吸込口と吹出口を接続する。そして、前記吸排ブロアー６の回転方向を所定の時間間隔で反転させることにより、吸排気方向を交互に切り換えながら運転する。さらに、脱臭装置５の中に除湿装置，抗菌又は除菌装置，芳香発散装置等を付加することもできる。【選択図】        図１
2007089620.tif 000002
【特許請求の範囲】
【請求項１】
マット本体の内部に、上側面に多数の吸排気口を有し、先端部が封止された通気パイプを複数本配設し、該複数本の通気パイプを二つのグループに分け、一方のグループの通気パイプの基端部には、吸排ブロアーの吸込口又は吹出口の一方を、脱臭装置を介して接続し、他方のグループの通気パイプの基端部には、前記吸排ブロアーの吸込口又は吹出口の他方を接続し、前記吸排ブロアーの吸排気方向を交互に切り換えながら運転可能にしたことを特徴とする介護用マット。
【請求項２】
前記脱臭装置に除湿装置を付加したことを特徴とする請求項１記載の介護用マット。
【請求項３】
前記脱臭装置に抗菌又は除菌装置を付加したことを特徴とする請求項１又は２記載の介護用マット。
【請求項４】
前記脱臭装置に芳香発散装置を付加したことを特徴とする請求項１，２又は３記載の介護用マット。
【発明の詳細な説明】
【技術分野】
【０００１】
本発明は、長期入院患者や自宅での寝たきり患者等、長期療養患者のベッド用マットとして好適な介護用マットに関するものである。
【背景技術】
【０００２】
長期入院患者や自宅での寝たきり患者は、長期間寝たきりになるため、床ずれが生じたり、不快な臭いが発生したりして、患者及びその看護者に過大な負担となっている。そこで、従来、例えば、特許文献１に示されるように、患者がベッドとして使用するマットの中に空気噴出口を多数有する空気室を設け、前記空気噴出口から乾燥した空気を噴出させることにより床ずれを防止するようにした介護用マットが提案されている。
【０００３】
また、特許文献２に示されるように、マットの表面に吸気口を設け、内部に空気通路を設けて、前記吸気口から常時空気を吸い込んで外部に排出する際に、脱臭器を通して排出することにより臭気の拡散を防止するようにした介護用マットが示されている。
【０００４】
さらに、特許文献２には、図３に示すように、マット外枠９とマット本体１０との間に吸気スリット１１を設けるとともに、マット本体１０の内部に多数の排気口１３を有する送気パイプ１２を設けて、それら吸気スリット１１と送気パイプ１２に、連結ホース１５，１６を介して空気循環装置１４を接続した介護用マットも示されている。この介護用マットでは、空気循環装置１４の内部に脱臭剤が設けられており、空気を、空気循環装置１４−連結ホース１５−送気パイプ１２−排気口１３−吸気スリット１１−連結ホース１６−空気循環装置１４の経路で循環させることにより、患者の周囲を適度の湿度に保つとともに、臭気を抑制するようにしている。
【特許文献１】実開昭６０−１７１４２６号公報
【特許文献２】特開２００１−２５８６８８号公報
【発明の開示】
【発明が解決しようとする課題】
【０００５】
しかしながら、上記従来の介護用マットの内、特許文献１に示されるような、空気噴出口から乾燥した空気を噴出させるものでは、臭気が室内に拡散してしまうという問題点があった。また、特許文献２に示されるような、吸気口から常時空気を吸い込み、脱臭器を通して排出させるだけのものでは、脱臭器を通した空気をそのまま室内に排出させてしまうため、臭気を十分に抑えることができないという問題点があった。その点、脱臭剤を通しながら循環させるものでは、寝具から室内に洩れ出す空気は少なくなるため臭気を抑える効果は高くなるが、空気の流れる方向が、マット本体１０の中央部に配設された送気パイプ１２の排気口１３から、マット本体１０の周辺部に設けられた吸気スリット１１への一方向だけになるため、患者の横たわる位置が偏ったり、吸気スリット１１の上に毛布や掛け布団が偏って掛かったりして、空気の流れが部分的に淀んで、その部分の湿気が高くなったり、臭気がこもったりするという問題点があった。
【０００６】
本発明は、そのような問題点に鑑み、臭気の拡散を防止するとともに、寝具内部で空気の淀みがなく、患者と介護者の双方にとって快適になる介護用マットを提供することを目的とするものである。
【課題を解決するための手段】
【０００７】
前記課題を解決するため、請求項１に記載の介護用マットは、マット本体の内部に、上側面に多数の吸排気口を有し、先端部が封止された通気パイプを複数本配設し、該複数本の通気パイプを二つのグループに分け、一方のグループの通気パイプの基端部には、吸排ブロアーの吸込口又は吹出口の一方を、脱臭装置を介して接続し、他方のグループの通気パイプの基端部には、前記吸排ブロアーの吸込口又は吹出口の他方を接続し、前記吸排ブロアーの吸排気方向を交互に切り換えながら運転可能にしたことを特徴とする。
【０００８】
また、請求項２に記載の介護用マットは、請求項１に記載の介護用マットにおいて、前記脱臭装置に除湿装置を付加したことを特徴とする。
【０００９】
また、請求項３に記載の介護用マットは、請求項１又は２に記載の介護用マットにおいて、前記脱臭装置に抗菌又は除菌装置を付加したことを特徴とする。
【００１０】
また、請求項４に記載の介護用マットは、請求項１，２又は３に記載の介護用マットにおいて、前記脱臭装置に芳香発散装置を付加したことを特徴とする。
【発明の効果】
【００１１】
本発明の介護用マットは、次のような効果を奏する。
すなわち、請求項１に記載の介護用マットは、マット本体の内部に、上側面に多数の吸排気口を有し、先端部が封止された通気パイプを複数本配設し、該複数本の通気パイプを二つのグループに分け、一方のグループの通気パイプの基端部には、吸排ブロアーの吸込口又は吹出口の一方を、脱臭装置を介して接続し、他方のグループの通気パイプの基端部には、前記吸排ブロアーの吸込口又は吹出口の他方を接続し、前記吸排ブロアーの吸排気方向を交互に切り換えながら運転可能にした。その結果、臭気の拡散を防止するとともに、寝具内部で空気の淀みがなく、患者と介護者の双方にとって快適になる。
【００１２】
また、請求項２に記載の介護用マットは、請求項１に記載の介護用マットにおける脱臭装置に除湿装置を付加したので、患者周囲の空気の湿り気を除去して適度の湿度に保つことができる。
【００１３】
また、請求項３に記載の介護用マットは、請求項１又は２に記載の介護用マットにおける脱臭装置に抗菌又は除菌装置を付加したので、患者周囲の空気の衛生状態を良好に保つことができる。
【００１４】
また、請求項４に記載の介護用マットは、請求項１，２又は３に記載の介護用マットにおける脱臭装置に芳香発散装置を付加したので、患者周囲の香りが良くなって、患者と介護者の双方にとってより一層快適になる。
【発明を実施するための最良の形態】
【００１５】
以下、本発明の実施例を図面に基づいて詳細に説明する。
【実施例１】
【００１６】
図１は、本発明の一実施例を示す図であり、図２は、図１のＡ−Ａ断面図である。図１，２において、１はマット本体、２は通気パイプ、３は吸排気口、４は空気循環装置、５は脱臭装置、６は吸排ブロアー、７，８は連結管である。
【００１７】
マット本体１の内部に、上側面に多数の吸排気口３を有し、先端部が封止された通気パイプ２を４本配設し、それら通気パイプ２を、内側２本と外側２本の二つのグループに分ける。そして、内側２本の通気パイプ２の基端部には、それぞれ脱臭装置５及び連結管７を介して、吸排ブロアー６の吸込口又は吹出口の一方に接続する。また、外側２本の通気パイプ２の基端部には、それぞれ脱臭装置５及び連結管８を介して、吸排ブロアー６の吸込口又は吹出口の他方に接続する。
【００１８】
吸排ブロアー６は、電源をタイマーで制御して回転方向を所定の間隔（例えば、５分間隔）で交互に切り換える。その結果、ある期間は、内側２本の通気パイプ２の吸排気口３から空気を吹き出させ、外側２本の通気パイプ２の吸排気口３から空気を吸い込む。そして、次の期間は、吸排ブロアー６の回転を反転させて、外側２本の通気パイプ２の吸排気口３から空気を吹き出させ、内側２本の通気パイプ２の吸排気口３から空気を吸い込む。そのような切換を交互に繰り返すことにより、吸排ブロアー６の吸排気方向を交互に切り換えながら運転する。
【００１９】
このように、患者が寝ている寝具内の空気を、脱臭装置５で脱臭しながら循環させるので、臭気の拡散を防止することができる。そして、吸排ブロアー６の吸排気方向を交互に切り換えので、寝具内部で空気の淀みがなくなって、部分的に湿気が高くなったり、臭気がこもったりすることがなくなり、患者と介護者の双方にとって快適になる。
【００２０】
さらに、脱臭装置５の中に除湿装置，抗菌又は除菌装置，芳香発散装置等を付加することもできる。除湿装置は、例えば、除湿剤を用いて実現でき、そのような除湿装置を付加すれば、患者周囲の空気の湿り気を除去して適度の湿度に保つことができる。また、抗菌又は除菌装置は、例えば、抗菌，除菌又は殺菌剤等を用いて実現でき、そのような抗菌又は除菌装置を付加すれば、患者周囲の空気の衛生状態を良好に保つことができる。そしてまた、芳香発散装置は、例えば、芳香剤を用いて実現でき、そのような芳香発散装置を付加すれば、患者周囲の香りが良くなって、患者と介護者の双方にとってより一層快適になる。
【００２１】
なお、上記実施例では、マット本体１の内部に通気パイプ２を４本配設したが、それに限定されずそれ以外の本数を配設しても良い。また、上記実施例では、脱臭装置５を全ての通気パイプ２に接続したが、二つに分けた内の一方のグループの通気パイプ２、例えば、図１の場合では、内側の２本の通気パイプ２にだけに接続しても、空気は必ず脱臭装置５を通って循環されるので脱臭効果は、ある程度得られる。
【図面の簡単な説明】
【００２２】
【図１】本発明の一実施例を示す図である。
【図２】図１のＡ−Ａ断面図である。
【図３】従来の介護用マットを示す図である。
【符号の説明】
【００２３】
１…マット本体
２…通気パイプ
３…吸排気口
４…空気循環装置
５…脱臭装置
６…吸排ブロアー
７，８…連結管
【図１】
2007089620.tif 000003
【図２】
2007089620.tif 000004
【図３】
2007089620.tif 000005